(57)【要約】【課題】  多芯ケーブルの導通を検査する際、簡単な装置及び操作により、布線状況の正否のみならず、誤配線の態様をも容易に認識する。【解決手段】本発明は、複数の電線を束ね、各電線の両端部をそれぞれの端子に接続して形成される多芯ケーブルの配線態様を検査する多芯ケーブル配線検査装置であって、多芯ケーブルの一方の各端子にそれぞれ対応付けて接続された複数の点灯手段からなる第１の表示手段と、多芯ケーブルの他方の各端子にそれぞれ対応付けて接続された複数の点灯手段からなる第２の表示手段と、第１の表示手段及び第２の表示手段を通じて、多芯ケーブル中の任意の電線を選択して電圧を供給する電圧選択供給手段と、第１の表示手段及び第２の表示手段を、多芯ケーブルの端子の配置に従って相互に対応付けて配列する表示板とを備えることを特徴とする。【選択図】  図１
2005061974.tif 000002
【特許請求の範囲】
【請求項１】
複数の電線を束ね、各電線の両端部をそれぞれの端子に接続して形成される多芯ケーブルの配線態様を検査する多芯ケーブル配線検査装置であって、
前記多芯ケーブルの一方の各端子にそれぞれ対応付けて接続された複数の点灯手段からなる第１の表示手段と、
前記多芯ケーブルの他方の各端子にそれぞれ対応付けて接続された複数の点灯手段からなる第２の表示手段と、
前記第１の表示手段及び前記第２の表示手段を通じて、前記多芯ケーブル中の任意の電線を選択して電圧を供給する電圧選択供給手段と、
前記第１の表示手段及び前記第２の表示手段を、前記多芯ケーブルの端子の配置に従って配列する表示盤と
を備えることを特徴とする多芯ケーブル配線検査装置。
【請求項２】
前記第１の表示手段及び前記第２の表示手段に備えられた各点灯手段は、前記多芯ケーブルの配線態様に応じて、相互に対応付けられて表示盤上に配列されていることを特徴とする請求項１に記載の多芯ケーブル配線検査装置。
【請求項３】
通電により導通音を発生するブザー部と、
前記ブザー部に接続されるテスター棒と、
前記第２の表示手段に供給される電圧を、前記ブザー部に切り替えて供給する電源切替部と
を備えることを特徴とする請求項１に記載の多芯ケーブル配線検査装置。
【発明の詳細な説明】
【技術分野】
【０００１】
本発明は、複数の電線を束ね、各電線の両端部をそれぞれの端子に接続して形成される多芯ケーブルの配線態様を検査する多芯ケーブル配線検査装置に関する。
【背景技術】
【０００２】
Ｉ／Ｏケーブル等の信号ケーブルは、一般的には、複数本の信号線（電線）を外層シース等によって被覆して形成された多芯ケーブルであり、通常、その両端にコネクタが接続されている。従来より、このような多芯ケーブルについては、その信号線が正しく配線されているか否かについての導通検査が行われている。
【０００３】
上記導通検査の方法として、例えば、特許文献１に開示された技術がある。この技術では、信号ケーブルのコネクタ側を導通検査機に電気的に接続するとともに、信号ケーブルの他端側の各信号線を整列部材の配設溝に嵌め込んで整列させ、この整列部材上に整列した各信号線に導通検査機に電気的に接続された検査ピンを同時に突き刺して信号線の芯線と検査ピンとを電気的に接続し、布線状況が正しければブザーを鳴らすことにより導通検査を行う。
【特許文献１】特開平７−３３３２８０号公報
【発明の開示】
【発明が解決しようとする課題】
【０００４】
しかしながら、上述した特許文献１に開示された技術では、布線状況が正しいときにブザーを鳴らす構成であるため、布線の正否は判断できるものの、誤配線されている場合に、どのように配線が誤っているのかまで判断することができず、誤配線の態様を把握することができないという問題があった。また、この特許文献１の技術では、ブザーを鳴らすことにより、配線態様を認識するものであるため、配線態様を視覚的に把握することが困難であり、熟練を要するという問題があった。
【０００５】
そこで、本発明は以上の点に鑑みてなされたもので、多芯ケーブルの導通を検査する際、簡単な装置及び操作により、布線状況の正否のみならず、誤配線の態様をも容易に認識できる多芯ケーブル配線検査装置を提供することをその課題とする。
【課題を解決するための手段】
【０００６】
上記課題を解決するために、本発明は、複数の電線を束ね、各電線の両端部をそれぞれの端子に接続して形成される多芯ケーブルの配線態様を検査する多芯ケーブル配線検査装置であって、多芯ケーブルの一方の各端子にそれぞれ対応付けて接続された複数の点灯手段からなる第１の表示手段と、多芯ケーブルの他方の各端子にそれぞれ対応付けて接続された複数の点灯手段からなる第２の表示手段と、第１の表示手段及び第２の表示手段を通じて、多芯ケーブル中の任意の電線を選択して電圧を供給する電圧選択供給手段と、第１の表示手段及び第２の表示手段を、多芯ケーブルの端子の配置に従って配列する表示板とを備えることを特徴とする。
【０００７】
このような本発明によれば、電圧選択供給手段により任意の電線を選択して電圧を供給し、第１及び第２の表示手段の点灯を確認することにより、ケーブル内部の配線態様を視覚的に確認することができる。
【０００８】
上記発明において、第１の表示手段及び第２の表示手段に備えられた各点灯手段は、多芯ケーブルの配線態様に応じて、相互に対応付けられて表示盤上に配列されていることが好ましい。このような発明によれば、点灯した第１の表示手段と第２の表示手段の対応関係を確認することによって、ケーブルの両端における配線態様を視覚的に確認することができ、誤配線の際、いずれの電線がどのように誤配線されているのかを容易に認識することができる。
【０００９】
上記発明において、通電により導通音を発生するブザー部と、ブザー部に接続されるテスター棒と、第２の表示手段に供給される電圧を、ブザー部に切り替えて供給する電源切替部とを備えることが好ましい。このような発明によれば、導通音による導通検査も合わせて行うことができ、導通検査の多様化を図ることができる。
【発明の効果】
【００１０】
以上説明したように本発明の構造によれば、多芯ケーブルの導通を検査する際、簡単な装置及び操作により、布線状況の正否のみならず、誤配線の態様をも容易に認識することができる。
【発明を実施するための最良の形態】
【００１１】
（多芯ケーブル配線検査装置の構成）
本発明の実施形態について、図面を参照しつつ説明する。図１は、本実施形態に係る多芯ケーブル配線検査装置の概略構成を示す斜視図であり、図２は、多芯ケーブル配線検査装置１の内部構成を示すブロック図である。
【００１２】
本実施形態に係る多芯ケーブル配線検査装置１は、ケーブル１１の導通検査を行う装置であり、本体１ａ上に、発光素子が多数配列された表示盤３と、各種スイッチ６１〜６４と、ロータリースイッチ２と、コネクタ４，５と、テスター１０のコネクタ９と、通電により導通音を発生するブザー部８と、電源部７とを備えている。
【００１３】
ケーブル１１は、複数の信号線を束ね、各信号線の両端部をコネクタ１１ａ，１１ｂそれぞれの端子に接続して形成される多芯ケーブルである。発光素子４０１〜４５０は、ケーブル１１の一方に接続されたコネクタ４ａの各信号線にそれぞれ対応付けて接続された第１の表示手段であり、発光素子５０１〜５５０は、ケーブル１１の他方に接続されたコネクタ５ａの各信号線にそれぞれ対応付けて接続された第２の表示手段である。
【００１４】
スイッチ６１は、ロータリースイッチ２のレンジ切替手段である。本実施形態では、信号線が５０本以下のケーブルを検査対象とする一方で、ロータリースイッチ２のチャンネル数が２５であるため、このスイッチ６１を切り替えることにより、信号線２５本ずつを切り替えて、検査するようにしている。
【００１５】
スイッチ６２は、電源切替部６３から供給される負の電圧信号をロータリースイッチ２またはテスター１０のいずれかに選択的に出力するためのスイッチである。すなわち、スイッチをａ側にすることによりロータリースイッチ２側に負の電圧信号を供給し、スイッチをｂ側にすることによりテスター１０のコネクタ９側に負の電圧信号を供給することができる。後述するように、電圧切替部６４により、コネクタ４及び第２の表示手段である発光素子５０１〜５５０の両方に正の電圧信号が供給されているため、スイッチ６２により負の電圧信号が供給された駆動部（発光素子４０１〜４５０またはテスター１０）が駆動可能となる。
【００１６】
スイッチ６３は、コネクタ４及び発光素子５０１〜５５０の両方に正の電圧信号を供給するとともに、ロータリースイッチ２側とブザー部８側のいずれかに、選択的に電源部７からの負の電圧を供給する電源切替部であり、これを切り替えることによって、発光素子による検査と、ブザーによる検査を選択することが可能となる。また、スイッチ６３は、ロータリースイッチ２側とブザー部８側のいずれかに電源を供給する際に、それぞれに適した電圧に変換する機能を備えている。スイッチ６４は、電源部７からの電力供給をＯＮ／ＯＦＦする主電源スイッチである。
【００１７】
ロータリースイッチ２は、多芯ケーブル中の任意の信号線を選択し、選択した信号線に対し発光素子４０１〜４５０を通じて、電圧を供給する電圧選択供給手段である。本実施形態においてこのロータリースイッチ２は、５０本の信号線を選択するものであり、上述したスイッチ６１により、発光素子４０１〜４２５と、発光素子４２６〜４５０とを切り替えて通電する。
【００１８】
コネクタ４，５は、アダプタケーブル４ａ及び５ａが付け替え可能となっており、このアダプタケーブルを選択して取付けることにより、各種ケーブルに対応させることができる。アダプタケーブル４ａのコネクタは、ケーブル１１のコネクタ１１ａに接続され、アダプタケーブル５ａのコネクタは、ケーブル１１のコネクタ１１ｂに嵌合される。
【００１９】
テスター１０のコネクタ９は、ブザー部８に接続され、スイッチ６３を切り替えることにより、テスター棒１０に電圧を供給する。テスター棒１０は、コネクタ９に着脱自在の電極棒である。
【００２０】
表示盤３は、図３に示すように、第１の表示手段及び第２の表示手段である発光素子４ｎ（４０１〜４５０），５ｎ（５０１〜５５０）を、ケーブル１１内の信号線の配置に従って、相互に対応付けて配列したものである。詳述すると、本実施形態では、発光素子４０１〜４５０と発光素子５０１〜５５０とが、各信号線毎に上下に配置されている。
【００２１】
（多芯ケーブル配線検査方法）
以上説明した構成の多芯ケーブル配線検査装置１を用いた多芯ケーブル配線検査方法は、以下の手順により行う。
【００２２】
（１）表示手段による信号線毎の導通検査
先ず、図２に示すように、ケーブル１１をコネクタ４，５のアダプタケーブル４ａ，５ａに接続する。そして、スイッチ６４をＯＮとすることにより、電源部７からの電力をスイッチ６３に供給する。これにより、ケーブルコネクタ４及び５に正の電圧信号が供給される。
【００２３】
値で、スイッチ６３をロータリースイッチ２側に接続するとともに、スイッチ６２をａ側に接続する。これにより、ロータリースイッチ２に負の電圧信号が供給される。次いで、スイッチ６１及びロータリースイッチ２により、信号線（発光素子４０１〜４５０）を選択する。この操作により、正しく配線されていれば、表示盤３上において各信号線毎に配置された上下の発光素子が対となって点灯する。
【００２４】
例えば、第１番の信号線を選択した場合には、表示盤３において上下に配置された発光素子４０１及び５０１の両方が点灯する。一方、誤配線されている場合には、発光素子４０１と、５０１以外の発光素子とが点灯する。これにより、誤配線の態様を視覚的に認識することができる。なお、信号線が断線している場合には、いずれの発光素子も点灯しないこととなる。
【００２５】
そして、ロータリースイッチ２及びスイッチ６２を切り替えることにより、順次信号線を選択していき、全ての信号線についての導通検査を行う。
【００２６】
（２）テスターを用いた表示手段による信号線毎の導通検査
スイッチ６３及び６２を切り替えることにより、テスター及び表示手段を用いて、導通音による導通検査を行うことができる。先ず、図４に示すように、ケーブル１１をコネクタ５のアダプタケーブル５ａに接続し、他端のコネクタ４を開放する。そして、スイッチ６４をＯＮとすることにより、電源部７からスイッチ６３に電力を供給する。これにより、コネクタ５側に正の電圧信号が供給される。
【００２７】
スイッチ６３を、スイッチ６２（ロータリースイッチ２）側に接続するとともに、スイッチ６２をｂ側に接続する。これにより、ブザー部８を介することなく直接、コネクタ９に負の電圧信号が供給される。次いで、コネクタ１１ｂ内の端子にテスター１０を接触させる。この操作により、正しく配線されていれば、端子にテスター１０を接触させたときに、そのテスター１０が触れた端子に対応する発光素子５０１〜５５０が点灯する。一方、誤配線されている場合には、第１番の信号線端子をテスター１０で触れた場合には、正規の発光素子以外の発光素子が点灯する。これにより、誤配線されている端子を特定することができる。なお、信号線が断線している場合には、いずれの端子に触れても導通音の出力はされないこととなる。
【００２８】
（３）テスターを用いたブザー部による信号線毎の導通検査
スイッチ６３及び６２を切り替えることにより、テスター及びブザー部を用いて、導通音による導通検査を行うことができる。
【００２９】
先ず、図５に示すように、ケーブル１１をコネクタ４のアダプタケーブル４ａに接続し、他端のコネクタ５を開放する。そして、スイッチ６４をＯＮとすることにより、電源部７からスイッチ６３に電力を供給する。これにより、コネクタ４側に正の電圧信号が供給される。
【００３０】
スイッチ６３をブザー部８側に接続する。これにより、コネクタ９に負の電圧信号が供給される。次いで、コネクタ１１ｂ内の端子にテスター１０を接触させる。この操作により、正しく配線されていれば、正規の端子にテスター１０を接触させたときに、ブザー部８による導通音が出力される。一方、誤配線されている場合には、第１番の信号線端子をテスター１０で触れても、導通音の出力はされず、他の端子を触れたときに導通音の出力される。これにより、誤配線されている端子を特定することができる。なお、信号線が断線している場合には、いずれの端子に触れても導通音の出力はされないこととなる。
【００３１】
なお、ここでは、ケーブル１１をコネクタ４に接続したが、コネクタ４及び５の両方に正の電圧信号が供給されていることから、ケーブル１１をコネクタ５に接続しても同様の操作を行うことができる。
【００３２】
（多芯ケーブル配線検査装置及び方法による作用効果）
以上説明した多芯ケーブル配線検査装置及び方法によれば、ロータリースイッチ２により任意の電線を選択して電圧を供給し、第１及び第２の表示手段の点灯を確認することにより、ケーブル１１内部の配線態様を視覚的に確認することができる。特に、本実施形態では、表示盤３上において、点灯した第１の表示手段と第２の表示手段の対応関係を確認することによって、ケーブル１１の両端における配線態様を視覚的に確認することができ、誤配線の際、いずれの電線がどのように誤配線されているのかを容易に認識することができる。
【００３３】
また、本実施形態では、ブザー部８による導通音によっても導通検査を行うことができるため、導通音による導通検査も合わせて行うことができ、導通検査の多様化を図ることができる。
【００３４】
特に、本実施形態では、電源切替部であるスイッチ６３により、コネクタ４及び５に正の電圧信号を供給するとともに、ロータリースイッチ２とブザー部２とを選択し、それぞれに適した電圧の負の電圧信号を供給するため、ブザー部８や発光素子に過大な電圧が印加されるのを防止することができる。
【００３５】
（変更例）
なお、上述した実施形態では、ブザー部８と発光素子とを切り替えて用いる場合を例に説明したが、本発明はこれに限定されるものではなく、ブザー部８による導通音と発光素子の両方を組み合わせて、動作させるようにしてもよい。この場合には、ロータリースイッチ２により選択した電線をテスター１０を接触させ、ロータリースイッチ２で選択した電線に対応する端子を、発光素子の点灯及び導通音により特定することができる。
【図面の簡単な説明】
【００３６】
【図１】実施形態に係る多芯ケーブル配線検査装置の概略構成を示す斜視図である。
【図２】実施形態に係る多芯ケーブル配線検査装置の内部構成を示すブロック図である。
【図３】実施形態に係る多芯ケーブル配線検査装置の表示盤の概略構成を示す正面図である。
【図４】実施形態に係る多芯ケーブル配線検査装置においてテスターによる導通検査行う際の内部構成を示すブロック図である。
【図５】実施形態に係る多芯ケーブル配線検査装置においてブザー部８による導通検査行う際の内部構成を示すブロック図である。
【符号の説明】
【００３７】
１…多芯ケーブル配線検査装置
１ａ…本体
２…ロータリースイッチ
３…表示盤
４，５…コネクタ
４ａ，５ａ…アダプタケーブル
７…電源部
８…ブザー部
９…コネクタ
１０…テスター
１１…ケーブル
１１ａ，１１ｂ…コネクタ
６１〜６４…スイッチ
４ｎ（４０１〜４５０），５ｎ（５０１〜５５０）
【図１】
2005061974.tif 000003
【図２】
2005061974.tif 000004
【図３】
2005061974.tif 000005
【図４】
2005061974.tif 000006
【図５】
2005061974.tif 000007